(57)【要約】【課題】車載機器の更新処理に伴うバッテリ上がりを抑制し得る車載更新システム及び車載更新装置を提供する。【解決手段】本実施の形態に係る車載更新システムは、車両に搭載されたバッテリと、前記バッテリからの電力が供給され、記憶部に記憶されたプログラムを実行して動作する車載機器と、前記バッテリからの電力が供給される車載電装品と、前記バッテリから前記車載電装品への電力供給経路中に配され、前記電力供給経路の通電／遮断を切り替える第１のリレーと、前記車載機器の前記記憶部に記憶されたプログラムを更新する処理を行う更新処理部を有する車載更新装置と、前記更新処理部が更新処理を行う際に前記第１のリレーを遮断状態へ切り替える切替制御部とを備える。【選択図】図１
2018074798.tif 000002
【特許請求の範囲】
【請求項１】
車両に搭載されたバッテリからの電力が供給され、記憶部に記憶されたプログラムを実行して動作する車載機器と、
前記バッテリから前記車両に搭載された車載電装品への電力供給経路中に配され、前記電力供給経路の通電／遮断を切り替える第１のリレーと、
前記車載機器の前記記憶部に記憶されたプログラムを更新する処理を行う更新処理部を有する車載更新装置と、
前記更新処理部が更新処理を行う際に前記第１のリレーを遮断状態へ切り替える切替制御部と
を備えることを特徴とする車載更新システム。
【請求項２】
前記更新処理部は、前記車両のエンジン停止時に更新処理を行うこと
を特徴とする請求項１に記載の車載更新システム。
【請求項３】
前記バッテリから前記車載機器までの電力供給経路中に配され、該電力供給経路の通電／遮断を切り替える第２のリレーと、
前記バッテリから前記第１のリレーまでの電力供給経路中に配され、該電力供給経路の通電／遮断を切り替える第３のリレーと
を備え、
前記切替制御部は、前記更新処理部が更新を行う際に前記第２のリレー及び前記第３のリレーを通電状態へ切り替えること
を特徴とする請求項１又は請求項２に記載の車載更新システム。
【請求項４】
前記第１のリレーを、半導体ヒューズを用いて構成してあること
を特徴とする請求項１乃至請求項３のいずれか１つに記載の車載更新システム。
【請求項５】
前記車載電装品は、着脱可能に給電線を接続可能な接続部であること
を特徴とする請求項１乃至請求項４のいずれか１つに記載の車載更新システム。
【請求項６】
前記接続部はシガーソケットであること
を特徴とする請求項５に記載の車載更新システム。
【請求項７】
前記車載更新装置が、前記切替制御部を有すること
を特徴とする請求項１乃至請求項６のいずれか１つに記載の車載更新システム。
【請求項８】
車両に搭載されたバッテリからの電力が供給されて動作する車載機器の記憶部に記憶されたプログラムを更新する処理を行う更新処理部と、
前記バッテリから前記車両に搭載された車載電装品への電力供給経路中に配された第１のリレーを、前記更新処理部が更新処理を行う際に遮断状態へ切り替える切替制御部と
を備えることを特徴とする車載更新装置。
【発明の詳細な説明】
【技術分野】
【０００１】
本発明は、車両に搭載された車載機器のプログラムを更新する車載更新システム及び車載更新装置に関する。
【背景技術】
【０００２】
従来、車両には複数のＥＣＵ（Electronic Control Unit）などの車載機器が搭載され、複数のＥＣＵがＣＡＮ（Controller Area Network）バスなどの通信線を介して接続されて相互に情報の送受信を行うことが可能とされている。各ＥＣＵは、フラッシュメモリ又はＥＥＰＲＯＭ（Electrically Erasable Programmable Read Only Memory）等の記憶部に記憶されたプログラムをＣＰＵ（Central Processing Unit）などの処理装置が読み出して実行することにより、車両の制御などの種々の処理を行っている。ＥＣＵの記憶部に記憶されたプログラム又はデータは、例えば機能追加、不具合の修正又はバージョンアップ等の必要が生じた際には、新たなプログラム又はデータに書き換える更新処理を行う必要がある。この場合、更新処理の対象となるＥＣＵに対して、通信線を介して更新用のプログラム又はデータを送信することが行われている。
【０００３】
特許文献１においては、エンジン起動中でドライバが降車した後にプログラムを更新する場合に、プログラム更新装置が車両状態を監視してセンタに監視情報を送信し、センタがプログラム更新中の車両の状態を監視するプログラム更新システムが提案されている。
【先行技術文献】
【特許文献】
【０００４】
【特許文献１】特開２０１１−７０２８７号公報
【発明の概要】
【発明が解決しようとする課題】
【０００５】
特許文献１に記載のプログラム更新システムでは、車両のエンジン起動中にプログラムの更新が行われる。しかしながら、ユーザが車両を使用しない可能性の高いエンジン停止中にプログラムの更新を行うことが望まれる場合があり得る。エンジン停止中にプログラムの更新を行う場合、車両のバッテリに蓄積された電力を用いて更新対象となるＥＣＵを動作させる必要がある。このため、更新対象のＥＣＵが例えばＩＧ（イグニッション）リレー又はＡＣＣ（アクセサリ）リレー等のリレーを介してバッテリに接続されている場合、プログラムの更新を行う際にはリレーを導通状態へ切り替える制御が行われる。
【０００６】
このようなリレーの導通制御を行うことによって、このリレー又はこのリレーに連動する別のリレーに接続された更新処理対象ではないＥＣＵ又は他の電装品等へもバッテリから電力が供給されることとなる。更新処理対象ではないＥＣＵに対しては、例えば車内ネットワークを介して動作停止命令を送信することによって、動作を停止させることが可能である。しかしながらこのような動作停止を行うことができない電装品が存在する場合、更新処理中にこの電装品によって電力が消費されバッテリ上がりが発生する虞がある。電装品が、例えば車両のシガーソケットのように、ユーザが任意の機器を接続することができる接続部である場合、接続部に接続された機器がどの程度の電力を消費するものであるかを事前に見積もることは困難である。
【０００７】
本発明は、斯かる事情に鑑みてなされたものであって、その目的とするところは、車載機器の更新処理に伴うバッテリ上がりを抑制し得る車載更新システム及び車載更新装置を提供することにある。
【課題を解決するための手段】
【０００８】
本発明に係る車載更新システムは、車両に搭載されたバッテリからの電力が供給され、記憶部に記憶されたプログラムを実行して動作する車載機器と、前記バッテリから前記車両に搭載された車載電装品への電力供給経路中に配され、前記電力供給経路の通電／遮断を切り替える第１のリレーと、前記車載機器の前記記憶部に記憶されたプログラムを更新する処理を行う更新処理部を有する車載更新装置と、前記更新処理部が更新処理を行う際に前記第１のリレーを遮断状態へ切り替える切替制御部とを備えることを特徴とする。
【０００９】
また、本発明に係る車載更新システムは、前記更新処理部が、前記車両のエンジン停止時に更新処理を行うことを特徴とする。
【００１０】
また、本発明に係る車載更新システムは、前記バッテリから前記車載機器までの電力供給経路中に配され、該電力供給経路の通電／遮断を切り替える第２のリレーと、前記バッテリから前記第１のリレーまでの電力供給経路中に配され、該電力供給経路の通電／遮断を切り替える第３のリレーとを備え、前記切替制御部は、前記更新処理部が更新を行う際に前記第２のリレー及び前記第３のリレーを通電状態へ切り替えることを特徴とする。
【００１１】
また、本発明に係る車載更新システムは、前記第１のリレーを、半導体ヒューズを用いて構成してあることを特徴とする。
【００１２】
また、本発明に係る車載更新システムは、前記車載電装品が、着脱可能に給電線を接続可能な接続部であることを特徴とする。
【００１３】
また、本発明に係る車載更新システムは、前記接続部はシガーソケットであることを特徴とする。
【００１４】
また、本発明に係る車載更新システムは、前記車載更新装置が、前記切替制御部を有することを特徴とする。
【００１５】
また、本発明に係る車載更新装置は、車両に搭載されたバッテリからの電力が供給されて動作する車載機器の記憶部に記憶されたプログラムを更新する処理を行う更新処理部と、前記バッテリから前記車両に搭載された車載電装品への電力供給経路中に配された第１のリレーを、前記更新処理部が更新処理を行う際に遮断状態へ切り替える切替制御部とを備えることを特徴とする。
【００１６】
本発明においては、車載更新装置が車載機器の記憶部に記憶されたプログラムの更新処理を行う。車両には更新処理の対象となる車載機器と、更新処理の対象とならない車載電装品とが搭載されており、これらには車両のバッテリからの電力が供給される。バッテリから車載電装品までの電力供給経路には第１のリレーを設け、車載更新装置が車載機器の更新処理を行う際に、第１のリレーを遮断状態へと切り替える。これにより車載機器の更新処理の際にバッテリから車載電装品へ電力が供給されなくなるため、バッテリの蓄積電力量の低下を抑制できる。
【００１７】
また本発明においては、車両のエンジン停止時に車載機器の更新処理を車載更新装置が行う。これにより、車両の走行に影響を与えることなく、車載機器の更新処理を安全に行うことができる。
【００１８】
また本発明においては、バッテリから車載機器までの電力供給経路中に第２のリレーが配され、バッテリから第１のリレーまでの電力供給経路中に第３のリレーが配される。第２のリレー及び第３のリレーは、例えばＩＧリレー又はＡＣＣリレー等と呼ばれ得るものであってよい。車両のエンジン停止時にはこれらのリレーは遮断状態とされるが、車載更新装置が更新処理を行う際にこれらのリレーを通電状態へ切り替えることによって、車両のエンジン停止時の更新処理を実現できる。
【００１９】
また本発明においては、半導体ヒューズを用いて第１のリレーを構成する。バッテリから車載電装品までの電力供給経路中には、過電流を防止するためのヒューズが設けられるが、半導体ヒューズを用いることでこの過電流防止用のヒューズと第１のリレーとを兼ねることができるため、部品点数を削減することができる。
【００２０】
また本発明においては、第１のリレーにて更新処理時の電力供給を遮断する車載電装品は、着脱可能に給電線を接続することが可能な接続部、例えばシガーソケットとすることができる。このような接続部に対しては車両の乗員が任意の装置を接続することができるため、動作に伴う消費電力量が過大な装置が接続され、更新処理によってバッテリ上がりが生じる虞がある。このような接続部への電力供給を遮断することによって、接続部にどのような装置が接続されている場合であっても、バッテリ上がりを生じさせることなく更新処理を行うことができる。
【００２１】
また本発明においては、第１のリレーによる通電／遮断の切り替えを車載更新装置が行う。車載更新装置は、車載機器の更新処理を行う装置であるため、更新処理に応じた第１のリレーの切り替えを容易且つ適切に行うことができる。
【発明の効果】
【００２２】
本発明による場合は、車載機器の更新処理を行う際に、バッテリから車載電装品までの電力供給経路に設けた第１のリレーを遮断状態へと切り替える構成とすることにより、車載機器の更新処理の際にバッテリから車載電装品への電力供給を遮断し、車載機器の更新処理に伴うバッテリ上がりを抑制することができる。
【図面の簡単な説明】
【００２３】
【図１】本実施の形態に係る車載更新システムの構成を示すブロック図である。
【図２】本実施の形態に係る車載更新装置の構成を示すブロック図である。
【図３】本実施の形態に係る車載更新装置が行う処理の手順を示すフローチャートである。
【図４】本実施の形態に係る車載更新装置が行う処理の手順を示すフローチャートである。
【図５】変形例１に係る車載更新システムの構成を示すブロック図である。
【図６】変形例２に係る車載更新システムの構成を示すブロック図である。
【図７】変形例２に係る半導体ヒューズを説明するための模式図である。
【発明を実施するための形態】
【００２４】
図１は、本実施の形態に係る車載更新システムの構成を示すブロック図である。なお本図においては、電力供給経路を太実線で示し、信号伝達経路を破線で示してある。また図において一点鎖線で示す１は車両であり、車両１にはバッテリ２、ＩＧリレー３、ＡＣＣリレー４、シガーソケット５、ＥＣＵ６ａ，６ｂ、表示装置７及び操作装置８等が備えられている。バッテリ２は、車両１のエンジン動作中にオルタネータ（図示は省略する）が発電した電力を蓄積する装置であり、例えば鉛蓄電池又はリチウムイオン電池等の電池を用いて構成することができる。バッテリ２は、車両１のエンジン停止中には、車両１に搭載されたＥＣＵ６ａ，６ｂなどの車載機器へ、蓄積した電力を供給する。
【００２５】
ＩＧリレー３は、バッテリ２からＥＣＵ６ａなどの車載機器への電力供給経路中に配され、電力供給経路の通電／遮断を切り替える。なお図１においては、ＩＧリレー３に１つのＥＣＵ６ａのみが接続されているが、これに限るものではなく、複数の車載機器が接続されていてよい。ＩＧリレー３は、車両１のエンジン始動及び車載機器への電力供給状態を切り替える操作を行うためのイグニッションスイッチ（図示は省略する）の状態に応じて通電／遮断が切り替えられる。ＩＧリレー３は、車両１のエンジン動作中に通電状態となり、エンジン停止中には遮断状態となるよう切り替えが行われる。
【００２６】
ＡＣＣリレー４は、バッテリ２からＥＣＵ６ｂなどの車載機器とシガーソケット５などの車載電装品とへの電力供給経路中に配され、電力供給経路の通電／遮断を切り替える。なお図１においては、ＡＣＣリレー４に１つのＥＣＵ６ｂ及びシガーソケット５のみが接続されているが、これに限るものではなく、他の車載機器又は車載電装品が更に接続されていてよい。ＡＣＣリレー４もまた、車両１のイグニッションスイッチの状態に応じて通電／遮断が切り替えられる。ＩＧリレー３の通電／遮断の切り替えと、ＡＣＣリレー４の通電／遮断の切り替えとは連動しており、ＩＧリレー３が通電状態である場合にはＡＣＣリレー４は通電状態となり、ＡＣＣリレー４が遮断状態である場合にはＩＧリレー３は遮断状態となる。ただしＩＧリレー３が遮断状態且つＡＣＣリレー４が通電状態の場合は存在し得る。
【００２７】
シガーソケット５は、車両１の運転席近傍に設けられたシガーライター用のソケットである。ただしシガーソケット５は、シガーライターのために用いるのではなく、外部への電力供給用の接続部として用いることができ、この場合にはアクセサリソケット又は電源ソケット等とも呼ばれ得る。シガーソケット５には、いわゆるカープラグと呼ばれる端子が設けられた電源ケーブルを介して様々な後付デバイス９９を接続することができる。シガーソケット５に後付デバイス９９が接続された状態において、ＡＣＣリレー４が通電状態に切り替えられた場合、車両１のオルタネータ又はバッテリ２から後付デバイス９９へ電力が供給され、この電力に基づいて後付デバイス９９が動作することができる。
【００２８】
ＥＣＵ６ａ，６ｂは、例えば車両１のエンジンの動作を制御するＥＣＵ、ドアのロック／アンロックを制御するＥＣＵ、ライトの点灯／消灯を制御するＥＣＵ、エアバッグの動作を制御するＥＣＵ、及び、ＡＢＳ（Antilock Brake System）の動作を制御するＥＣＵ等の種々のＥＣＵが含まれ得る。ＥＣＵ６ａ，６ｂは、内部のメモリなどに記憶されたプログラムをＣＰＵ（Central Processing Unit）などが実行することによって、種々の処理を行う。本実施の形態においてはＥＣＵ６ａが、メモリなどに記憶されたプログラムを更新する更新処理の対象となり得るＥＣＵであり、ＩＧリレー３を介してバッテリ２に接続されている。
【００２９】
表示装置７は、例えば液晶ディスプレイなどであり、車両１のユーザに対するメッセージ又は画像等の表示を行う。操作装置８は、車両１の運転席近傍に配されたプッシュスイッチ、ダイヤルスイッチ又はタッチパネル等の装置であり、ユーザの操作を受け付けるための装置である。なお表示装置７及び操作装置８は、例えばカーナビゲーション装置と共用のものであってよい。また本実施の形態においては、表示装置７及び操作装置８が直接的にバッテリ２からの電力供給を受ける構成としてあるが、これに限るものではない。表示装置７及び操作装置８は、ＩＧリレー３又はＡＣＣリレー４を介してバッテリ２に接続される構成であってもよい。
【００３０】
また本実施の形態に係る車載更新システムは、車載更新装置１０及びシガーリレー９等を備えている。車載更新装置１０は、ＥＣＵ６ａのメモリなどに記憶されたプログラム又はデータ等（以下、単にプログラムという）を更新する処理を行う装置である。車載更新装置１０は、車両１のエンジン動作中に例えば車外のサーバ装置との間で通信を行い、ＥＣＵ６ａのプログラムの更新が必要であるか否かを問い合せ、更新が必要である場合には更新用のプログラムをダウンロードして記憶しておく。車両１のエンジンが停止された際又はその前に、車載更新装置１０は、ＥＣＵ６ａのプログラムの更新が必要である旨を通知するメッセージを表示装置７に表示させて更新の可否を問合わせ、操作装置８にて更新の可否の選択をユーザから受け付ける。更新の許可が得られた場合、車載更新装置１０は、例えば車両１のエンジン停止から所定時間が経過した後など、所定の更新タイミングに至った際に、記憶しておいた更新用のプログラムを更新対象のＥＣＵ６ａへ送信することによって、更新処理を行う。
【００３１】
ただし本実施の形態において更新対象となるＥＣＵ６ａは、ＩＧリレー３を介してバッテリ２に接続されている。車両１のエンジン停止中にはＩＧリレー３は遮断状態となっており、ＥＣＵ６ａへはバッテリ２からの電力が供給されておらず、ＥＣＵ６ａは動作することができない。本実施の形態に係る車載更新装置１０は、ＩＧリレー３及びＡＣＣリレー４の切り替えを制御することができ、ＥＣＵ６ａの更新処理を行う際にはＩＧリレー３を通電状態へ切り替えることにより、更新対象のＥＣＵ６ａを動作可能な状態とする。
【００３２】
ただし上述のようにＩＧリレー３及びＡＣＣリレー４は連動しており、ＩＧリレー３が通電状態である場合には、ＡＣＣリレー４も通電状態となる。車載更新装置１０がＥＣＵ６ａの更新処理を行うためにＩＧリレー３を通電状態へ切り替えた場合、ＡＣＣリレー４も通電状態へ切り替わる。このためシガーソケット５に後付デバイス９９が接続された状態であれば、車載更新装置１０が更新処理を行う際に、バッテリ２から後付デバイス９９への電力供給が行われることとなる。後付デバイス９９は、ユーザが自身の好み又は必要性に応じて接続した装置であり、ＥＣＵ６ａの更新処理のために動作させる必要は全くなく、バッテリ２の電力を供給する必要は全くない。
【００３３】
そこで本実施の形態においては、ＡＣＣリレー４からシガーソケット５までの電力供給経路中にシガーリレー９を設ける。シガーリレー９は、この電力供給経路の通電／遮断の切り替えを、車載更新装置１０からの制御信号に応じて行う。なお本実施の形態において、シガーリレー９は、シガーソケット５の直近に配され、シガーソケット５に対する電力供給の遮断を行うが、ＡＣＣリレー４に接続されたＥＣＵ６ｂなどの他の車載機器又は車載電装品に対する電力供給の遮断は行わないものとする。またシガーリレー９は、通電状態及び遮断状態を維持するために電力を必要としないラッチリレーを用いて構成されることが好ましい。
【００３４】
車載更新装置１０は、車外のサーバ装置から更新用プログラムの取得を完了し、車両１のエンジンが停止された後の所定のタイミングでＥＣＵ６ａの更新処理を開始する。このとき車載更新装置１０は、まずシガーリレー９を遮断状態に切り替える制御を行う。次いで車載更新装置１０は、ＩＧリレー３及びＡＣＣリレー４を通電状態に切り替える制御を行うと共に、更新処理の対象ではないＥＣＵ６ｂに対して動作を停止する命令を送信する。その後に車載更新装置１０は、更新処理の対象であるＥＣＵ６ａに対して更新用プログラムを送信することによって更新処理を行う。更新処理の完了後、車載更新装置１０は、ＩＧリレー３及びＡＣＣリレー４を遮断状態に切り替える制御を行うと共に、シガーリレー９を通電状態へ切り替える制御を行う。
【００３５】
図２は、本実施の形態に係る車載更新装置１０の構成を示すブロック図である。本実施の形態に係る車載更新装置１０は、処理部１１、記憶部１２、車内通信部１３及び制御信号出力部１４等を備えて構成されている。処理部１１は、例えばＣＰＵ（Central Processing Unit）又はＭＰＵ（Micro-Processing Unit）等の演算処理装置を用いて構成され、記憶部１２に記憶されたプログラム（図示は省略する）を読み出して実行することにより、種々の演算処理を行う。処理部１１は、車外のサーバ装置からＥＣＵ６ａの更新用プログラムをダウンロードする処理、更新処理の可否をユーザに問い合わせる処理、及び、ダウンロードした更新用プログラムをＥＣＵ６ａへ送信することでプログラムを更新する処理等を行う。また本実施の形態において処理部１１は、更新処理を行う際のＩＧリレー３、ＡＣＣリレー４及びシガーリレー９の切替制御処理などを行う。
【００３６】
記憶部１２は、フラッシュメモリ又はＥＥＰＲＯＭ（Electrically Erasable Programmable Read Only Memory）等の不揮発性のメモリ素子を用いて構成されている。記憶部１２は、処理部１１が実行するプログラム及びこのプログラムの実行に必要なデータなどを記憶すると共に、ＥＣＵ６ａの更新に用いられる更新用プログラム１２ａを記憶する。また記憶部１２は、処理部１１の処理の過程で生成されたデータなどを記憶してもよい。
【００３７】
車内通信部１３は、車両１内に設けられた車内ネットワークを構成する通信線に接続され、例えばＣＡＮ（Controller Area Network）などの通信プロトコルに従ってデータの送受信を行う。車内通信部１３は、処理部１１から与えられたデータを電気信号に変換して通信線へ出力することによって情報を送信すると共に、通信線の電位をサンプリングして取得することによりデータを受信し、受信したデータを処理部１へ与える。これにより車載更新装置１０は、車両１に搭載されたＥＣＵ６ａ，６ｂ、表示装置７及び操作装置８との間でデータの送受信を行うことができる。
【００３８】
制御信号出力部１４は、信号線などを介してＩＧリレー３、ＡＣＣリレー４及びシガーリレー９にそれぞれ接続され、処理部１１からの指示に応じてこれらのリレーの通電／遮断を切り替える制御信号を出力する。なお本実施の形態においては、車載更新装置１０が直接的にリレーの切り替え制御を行う構成とするが、これに限るものではなく、リレーの切り替え制御を行うＥＣＵを別に設け、このＥＣＵに対して車載更新装置１０がリレーの切り替えを指示する構成としてもよい。また本実施の形態においても、車両のイグニッションスイッチの操作に応じたＩＧリレー３及びＡＣＣリレー４の切り替え制御は、車載更新装置１０が行うのではなく、リレーの切り替え制御を行う別のＥＣＵ（図示は省略する）が行うものとする。
【００３９】
また処理部１１には、記憶部１２に記憶されたプログラムが実行されることによって、更新処理部２１及び切替制御部２２等がソフトウェア的な機能ブロックとして実現される。更新処理部２１は、車両１に搭載された種々の車載機器（本実施の形態においてはＥＣＵ６ａ）の記憶部に記憶されたプログラムを更新するための処理を行う。更新処理部２１は、車両１のエンジン動作中に車外のサーバ装置との通信を行い、更新処理が行われる可能性がある全ての車載機器について、プログラムの更新の有無を問い合わせる処理を行う。更新処理部２１は、更新処理を行う必要があるとの応答がサーバ装置から与えられた場合、更新処理に必要な更新用プログラムをサーバ装置から取得して記憶部１２に記憶する。車両１のエンジンが停止状態となった後、更新処理を行う所定のタイミングに至った場合、更新処理部２１は、記憶部１２に記憶きた更新用プログラム１２ａを読み出して更新処理の対象となる車載機器へ送信することによって更新処理を行う。
【００４０】
切替制御部２２は、更新処理部２１による更新処理を行う際に、ＩＧリレー３、ＡＣＣリレー４及びシガーリレー９の通電／遮断の切替制御を行う。切替制御部２２は、制御信号出力部１４に対して各リレーの通電／遮断の指示を与え、これに応じて制御信号出力部１５が各リレーの通電／遮断を切り替える制御信号を出力する。更新処理部２１が更新処理を開始する際、切替制御部２２は、まずシガーリレー９を遮断状態へ切り替える制御を行う。次いで切替制御部２２は、ＩＧリレー３及びＡＣＣリレー４を通電状態へ切り替える制御を行う。これにより更新処理の対象であるＥＣＵ６ａへバッテリ２からの電力が供給されるが、シガーソケット５への電力供給を遮断することができる。なおこのときに更新処理部２１は、更新処理対象ではないＥＣＵ６ｂに対して、動作を停止してスリープ状態へ遷移する命令を与えることによって、ＥＣＵ６ｂによる電力消費を低減する処理を行ってよい。
【００４１】
また更新処理部２１が更新処理を完了した後、切替制御部２２は、ＩＧリレー３及びＡＣＣリレー４を通電状態から遮断状態へ切り替える制御を行う。次いで切替制御部２２は、シガーソケット５を遮断状態から通電状態へ切り替える制御を行う。これにより切替制御部２２は、更新処理部２１による更新処理の開始前の状態へ、各リレーを切り替えることができる。
【００４２】
図３及び図４は、本実施の形態に係る車載更新装置１０が行う処理の手順を示すフローチャートである。なお本フローチャートに示す処理は、車両１のイグニッションスイッチがオン（即ち車両１のエンジン動作中）の状態から開始するものとしてある。この状態において、車両１のＩＧリレー３、ＡＣＣリレー４及びシガーリレー９は、それぞれ通電状態とされている。車載更新装置１０の処理部１１の更新処理部２１は、例えば車両１に搭載された無線通信装置を利用して車外のサーバ装置との間で通信を行い、車両１に搭載されたＥＣＵ６ａのプログラムの更新の有無を問い合わせることによって、ＥＣＵ６ａの更新処理が必要であるか否かを判定する（ステップＳ１）。更新処理が必要ない場合（Ｓ１：ＮＯ）、更新処理部２１は、処理を終了する。更新処理が必要な場合（Ｓ１：ＹＥＳ）、更新処理部２１は、サーバ装置から更新処理に必要な更新用プログラムを取得して（ステップＳ２）、取得した更新用プログラムを記憶部１２に記憶する。
【００４３】
次いで処理部１１は、車両１のイグニッションスイッチがオン状態からオフ状態へ切り替えられたか否かを判定する（ステップＳ３）。イグニッションスイッチがオフ状態に切り替えられておらず、オン状態である場合（Ｓ３：ＮＯ）、処理部１１は、イグニッションスイッチがオフ状態へ切り替えられるまで待機する。イグニッションスイッチがオン状態からオフ状態へ切り替えられた場合（Ｓ３：ＹＥＳ）、処理部１１は、ステップＳ４へ処理を進める。なおイグニッションスイッチがオフ状態へ切り替えられることによって、ＩＧリレー３及びＡＣＣリレー４は通電状態から遮断状態へと切り替えられる。
【００４４】
次いで処理部１１の更新処理部２１は、車内通信部１３にて表示装置７へ問合わせメッセージの表示指示を与えることによって、表示装置７にＥＣＵ６の更新処理を行うことを許可するか否かを問い合わせるメッセージを表示し、ユーザに更新処理の可否を問い合せる（ステップＳ４）。このときに表示するメッセージは、例えば「ＥＣＵのプログラムを更新する必要があります。本日の午後１１時から更新を開始してもよろしいですか？（はい／いいえ）」などとすることができる。更新処理部２１は、表示装置７に表示した問合わせメッセージに対するユーザの更新可否の選択を、操作装置８にて受け付ける（ステップＳ５）。操作装置８にて受け付けられた更新可否の選択は、車内ネットワークを介して車載更新装置１０へ送信され、これが車内通信部１３にて受信されて処理部１１へ与えられる。更新処理部２１は、ステップＳ５にて受け付けた内容に基づいて、ＥＣＵ６ａの更新処理を行う許可が得られたか否かを判定する（ステップＳ６）。更新処理の許可が得られなかった場合（Ｓ６：ＮＯ）、更新処理部２１は、更新処理を行わずに処理を終了する。
【００４５】
更新の許可が得られた場合（Ｓ６：ＹＥＳ）、更新処理部２１は、更新処理を行うべき所定のタイミングに至ったか否かを判定する（ステップＳ７）。所定の更新タイミングは、例えば午後１１時などの所定時刻、又は、イグニッションスイッチがオフ状態へ切り替えられてから２時間が経過した後等のタイミングを採用することができる。この更新タイミングをユーザが決定可能な構成としてもよい。更新タイミングに至っていない場合（Ｓ７：ＮＯ）、更新処理部２１は、更新タイミングに至るまで待機する。
【００４６】
更新タイミングに至った場合（Ｓ７：ＹＥＳ）、処理部１１の切替制御部２２は、シガーリレー９を通電状態から遮断状態へ切り替える（ステップＳ８）。その後、切替制御部２２は、ＩＧリレー３及びＡＣＣリレー４を遮断状態から通電状態へ切り替える（ステップＳ９）。また処理部１１の更新処理部２１は、車内通信部１３にて更新処理対象ではないＥＣＵ６ｂへ、動作停止命令を送信する（ステップＳ１０）。
【００４７】
更新処理部２１は、記憶部１２に記憶された更新用プログラム１２ａを読み出し、車内通信部１３にて更新対象のＥＣＵ６ａへ送信することによって更新処理を行う（ステップＳ１１）。更新処理部２１は、更新用プログラム１２ａの送信が終了し、ＥＣＵ６ａの更新処理が完了したか否かを判定する（ステップＳ１２）。更新処理が完了していない場合（Ｓ１２：ＮＯ）、更新処理部２１は、ステップＳ１１へ処理を戻し、更新用プログラム１２ａの送信を継続して行う。更新処理が完了した場合（Ｓ１２：ＹＥＳ）、切替制御部２２は、ＩＧリレー３及びＡＣＣリレー４を通電状態から遮断状態から通電状態へ切り替える（ステップＳ１３）。その後、切替制御部２２は、シガーリレー９を遮断状態から通電状態へ切り替えて（ステップＳ１４）、処理を終了する。
【００４８】
以上の構成の本実施の形態に係る車載更新システムは、車両１に搭載された車載更新装置１０がＥＣＵ６ａのメモリなどに記憶されたプログラムの更新処理を行う。車両１には更新処理の対象となるＥＣＵ６ａなどの車載機器と、更新処理の対象とならないシガーソケット５などの車載電装品とが搭載されており、これらには車両１のバッテリ２からの電力が供給される。バッテリ２からシガーソケット５までの電力供給経路にはシガーリレー９を設け、車載更新装置１０がＥＣＵ６ａの更新処理を行う際に、シガーリレー９を遮断状態へと切り替える制御を行う。これによりＥＣＵ６ａの更新処理の際にバッテリ２からシガーソケット５（に接続された後付デバイス９）へ電力が供給されなくなるため、バッテリ２の蓄積電力量の低下を抑制できる。
【００４９】
また本実施の形態に係る車載更新システムは、車両１のエンジン停止時にＥＣＵ６ａの更新処理を行う。これにより、車両１の走行に影響を与えることなく、ＥＣＵ６ａの更新処理を安全に行うことができる。
【００５０】
また本実施の形態に係る車載更新システムは、バッテリ２からＥＣＵ６ａまでの電力供給経路中にＩＧリレー３が配され、バッテリ２からシガーリレー９までの電力供給経路中にＡＣＣリレー４が配される。車両１のエンジン停止時にはＩＧリレー３及びＡＣＣリレー４は遮断状態とされるが、車載更新装置１０は、更新処理を行う際にＩＧリレー３及びＡＣＣリレー４を通電状態へ切り替える。これにより、車両１のエンジン停止時のＥＣＵ６ａの更新処理を実現できる。
【００５１】
また本実施の形態に係る車載更新システムは、更新処理時の電力供給を遮断する車載電装品を、給電線などを介して後付デバイス９９を着脱可能に接続することが可能な接続部として、例えばシガーソケット５とする。シガーソケット５に対しては車両１のユーザが任意の後付デバイス９９を接続することができるため、動作に伴う消費電力量が過大な後付デバイス９９が接続されて、更新処理によりバッテリ上がりが生じる虞がある。このようなシガーソケット５への電力供給をシガーリレー９にて遮断することによって、シガーソケット５にどのような後付デバイス９９が接続されている場合であっても、バッテリ上がりを生じさせることなく更新処理を行うことができる。
【００５２】
また本実施の形態に係る車載更新システムは、シガーリレー９による通電／遮断の切り替えを車載更新装置１０が行う。車載更新装置１０は、ＥＣＵ６ａなどの更新処理を行う装置であるため、更新処理に応じたシガーリレー９の切り替えを容易且つ適切に行うことができる。
【００５３】
なお本実施の形態においては、ＥＣＵ６ａのプログラムの更新処理を行う装置として、専用の車載更新装置１０をシステム中に設ける構成としたが、これに限るものではない。車両１に搭載されたゲートウェイ装置又はいずれかのＥＣＵ等が更新処理を行う構成であってよい。また本実施の形態において車載更新装置１０は、更新処理を行う前に車両１のユーザに更新処理の可否を問い合せる構成としたが、これに限るものではない。例えば車載更新装置１０は、更新処理の可否を問い合せずに、更新タイミングに至った場合には更新処理を行う構成であってよい。
【００５４】
また図１に示したシステム構成は一例であって、これに限るものではない。例えば更新対象となるＥＣＵ６ａは、ＩＧリレー３を介してバッテリ２に接続されるのではなく、ＡＣＣリレー４を介してバッテリ２に接続されてもよい。また例えばシガーソケット５は、ＡＣＣリレー４を介してバッテリ２に接続されるのではなく、ＩＧリレー３を介してバッテリ２に接続されてもよい。またＥＣＵ６ａ及びシガーソケット５が共に共通のリレー（ＩＧリレー３又はＡＣＣリレー４）を介してバッテリ２に接続されてもよい。いずれの場合であっても、ＩＧリレー３又はＡＣＣリレー４からシガーソケット５までの電力供給経路中にはシガーリレー９が配され、シガーリレー９を遮断状態とすることでシガーソケット５への電力供給を遮断し且つＥＣＵ６ａへの電力供給を遮断しない構成であればよい。
【００５５】
また本実施の形態においては、更新処理時に電力供給を遮断する車載電装品をシガーソケット５としたが、これに限るものではない。車載電装品は、例えばＵＳＢ（Universal Serial Bus）ケーブルを介して後付デバイス９９が着脱可能に接続されて、ＵＳＢケーブルを介して電力を供給するＵＳＢ規格の接続部としてもよい。シガーソケット５及びＵＳＢ規格の接続部以外の構成の接続部であってもよい。また更に、車載電装品は後付デバイス９９を接続するための接続部に限らない。車載電装品は、例えば車両１にユーザが直接的に電源のオン／オフをスイッチ操作などにより制御できるが、車載更新装置１０が車内通信などにて動作停止の命令などを与えることができない車載の装置であってもよい。
【００５６】
（変形例１）
上述の実施の形態に係る車載更新システムは、ＥＣＵ６ａの更新処理を行う車載更新装置１０がシガーリレー９の通電／遮断の切替制御を行う構成であるが、これに限るものではない。図５は、変形例１に係る車載更新システムの構成を示すブロック図である。変形例１に係る車載更新システムは、操作装置８がシガーリレー９の通電／遮断の切替制御を行う。上述のように操作装置８は、車載更新装置１０による更新処理を行うか否かの問合わせに応じて、更新可否の選択をユーザから受け付ける処理を行う。変形例１に係る操作装置８は、更新処理を許可する選択を受け付けた場合に、シガーリレー９を通電状態から遮断状態へと切り替える処理を行う。また操作装置８は、例えば車両１のイグニッションスイッチがオフ状態からオン状態へ切り替えられた場合、又は、車載更新装置１０から更新処理完了の通知が与えられた場合等に、シガーリレー９を遮断状態から通電状態へと切り替える処理を行う。
【００５７】
なお、シガーリレー９の通電／遮断の切替制御は、車載更新装置１０又は操作装置８以外の装置が行ってもよい。例えば車両１のイグニッションスイッチの切替に応じてＩＧリレー３及びＡＣＣリレー４の切替制御を行う装置が、車載更新装置１０からの指示に応じてシガーリレー９の通電／遮断の切替制御を行う構成とすることができる。
【００５８】
（変形例２）
図６は、変形例２に係る車載更新システムの構成を示すブロック図である。変形例２に係る車載更新システムは、半導体ヒューズ１０９をシガーリレー９として利用する。半導体ヒューズ１０９は、電力供給経路中に配されたＭＯＳＦＥＴ（Metal Oxide Semiconductor Field Effect Transistor）などの半導体素子と、この半導体素子を流れる電流量を検知して半導体素子の通電／遮断の切替制御行う制御ＩＣ（Integrated Circuit）とを備えて構成されている。また半導体ヒューズ１０９は、車載更新装置１０から与えられる通電／遮断の切替信号に応じて半導体素子の通電／遮断の切替制御を行うことができる。
【００５９】
図７は、変形例２に係る半導体ヒューズ１０９を説明するための模式図であり、車両１のバッテリ２からＡＣＣリレー４を経てシガーソケット５へ至るまでの電力供給経路を抜き出して図示してある。図７上段には、従来車両の構成を図示してある。従来車両では、ＡＣＣリレー４及びシガーソケット５の間の電力供給経路中にヒューズ１１０が設けられていた。ヒューズ１１０は、過電流が流れることによって溶断し、電力供給経路を遮断することによって、シガーソケット５に接続された後付デバイス９９に過電流が流れることを防止する。
【００６０】
図７中段には、上述の実施の形態に係る車載更新システムの構成を図示してある。上述の実施の形態に係る車載更新システムでは、従来構成に対してＡＣＣリレー４及びヒューズ１１０の間にシガーリレー９が追加され、シガーリレー９の通電／遮断の切替制御を車載更新装置１０が行う。シガーリレー９が通電状態である際に、ヒューズ１１０を過電流が流れた場合には、ヒューズ１１０が溶断され、電力供給経路が遮断される。車載更新装置１０は、ＥＣＵ６ａの更新処理を行う際に、シガーリレー９を遮断状態へ切り替えることによって、更新処理中にバッテリ２からシガーソケット５に接続された後付デバイス９９へ電力が供給されることを防止する。
【００６１】
図７下段には、変形例２に係る車載更新システムの構成を図示してある。変形例２に係る車載更新システムは、図７中段に示したシステム構成におけるシガーリレー９及びヒューズ１１０を半導体ヒューズ１０９に置き換えた構成である。半導体ヒューズ１０９は、ＡＣＣリレー４及びシガーソケット５の間の電力供給経路中に配されるＭＯＳＦＥＴ１０９ａと、このＭＯＳＦＥＴ１０９ａの通電／遮断の切替制御を行う制御ＩＣ１０９ｂとを有して構成されている。制御ＩＣ１０９ｂは、ＭＯＳＦＥＴ１０９ａを流れる電流を検知し、例えば検知した電流量が閾値を超える場合にＭＯＳＦＥＴ１０９ａを通電状態から遮断状態へ切り替える。また制御ＩＣ１０９ｂは、車載更新装置１０から与えられる遮断命令に応じて、ＭＯＳＦＥＴ１０９ａを通電状態から遮断状態へ切り替える。よってＭＯＳＦＥＴ１０９ａは、制御ＩＣ１０９ｂが過電流を検知した場合及び車載更新装置１０が遮断命令を出力した場合に遮断状態となり、これ以外の場合は通電状態となる。
【００６２】
このように、変形例２に係る車載更新システムは、半導体ヒューズ１０９をシガーリレー９として用いる構成である。半導体ヒューズ１０９は、ＡＣＣリレー４からシガーソケット５までの電力供給経路中に設けられるヒューズ１１０の機能と、シガーリレー９の機能とを兼ね備える回路素子であるため、ヒューズ１１０を設ける必要がなくなり、車載更新システムを構成する回路素子などの部品点数を削減することができる。
【符号の説明】
【００６３】
１  車両
２  バッテリ
３  ＩＧリレー（第２のリレー）
４  ＡＣＣリレー（第３のリレー）
５  シガーソケット（車載電装品、接続部）
６ａ，６ｂ  ＥＣＵ（車載機器）
７  表示装置
８  操作装置
９  シガーリレー（第１のリレー）
１０  車載更新装置
１１  処理部
１２  記憶部
１２ａ  更新用プログラム
１３  車内通信部
１４  制御信号出力部
２１  更新処理部
２２  切替制御部
９９  後付デバイス
１０９  半導体ヒューズ
１０９ａ  ＭＯＳＦＥＴ
１０９ｂ  制御ＩＣ
【図１】
2018074798.tif 000003
【図２】
2018074798.tif 000004
【図３】
2018074798.tif 000005
【図４】
2018074798.tif 000006
【図５】
2018074798.tif 000007
【図６】
2018074798.tif 000008
【図７】
2018074798.tif 000009